(57)【要約】【課題】  比較的小さな力で高齢者でも簡単に据え付られるようにする。【解決手段】  家具及び天井に当接される２枚の押え板（２Ａ、２Ｂ）が、パンタグラフ型リンク機構（３）の上下方向に対向する二つの頂点（４Ａ、４Ｂ）に設けられ、リンク機構（３）の水平方向に対向する二つの頂点（４Ｃ，４Ｄ）の間隔を調整することにより押え板（２Ａ、２Ｂ）の高さを調整する高さ調整ネジ（５）がその二つの頂点（４Ｃ，４Ｄ）を貫通して水平に配され、高さ調整ネジ（５）の少なくとも片端側に、そのネジ（５）を手動回転させる操作ノブ（６）を設けた。【選択図】図１
2007068687.tif 000002
【特許請求の範囲】
【請求項１】
家具と天井の隙間に突っ張り状態で介装して家具を押え付けることにより転倒を防止する家具転倒防止具であって、
家具及び天井に当接される２枚の押え板が、パンタグラフ型リンク機構の上下方向に対向する二つの頂点に設けられ、前記リンク機構の水平方向に対向する二つの頂点の間隔を調整することにより前記押え板の高さを調整する高さ調整ネジがその二つの頂点を貫通して水平に配され、前記高さ調整ネジの少なくとも片端側に、そのネジを手動回転させる操作ノブが設けられたことを特徴とする家具転倒防止具。
【請求項２】
前記リンク機構の水平方向に対向する夫々の頂点に、上下のリンクを伸長させる方向に付勢するスプリングが装着されて成る請求項１記載の家具転倒防止具。
【請求項３】
前記リンク機構の水平位置に対向する頂点の片方に、高さ調整ネジと螺合される雌ネジが、前記高さ調整ネジに対して左右両側から係脱可能に螺合されるように分割して形成されると共に、その左右両側の雌ネジが高さ調整ネジを挟みつける方向に付勢されてなる請求項１記載の家具転倒防止具。
【請求項４】
前記高さ調整ネジの中心近傍から両端に向って逆ネジが螺刻されると共に、前記リンク機構の水平位置に対向する夫々の頂点に高さ調整ネジと螺合する雌ネジが形成された請求項１記載の家具転倒防止具。
【発明の詳細な説明】
【技術分野】
【０００１】
本発明は、家具と天井の隙間につっぱり状態で介装して家具を押え付けることにより、地震などの際に家具の転倒を防止する家具転倒防止具に関する。
【背景技術】
【０００２】
この種の家具転倒防止具は、家具及び天井に当接される２枚の押え板を、長さ調整可能な伸縮ロッドの両端に設けたものが一般的である。
例えば、図５に示す家具転倒防止具６１は、先端に長さ調整ナット６２を回動自在に設けたパイプロッド６３と、該パイプロッド６３内に挿通されると共に前記ナット６２に螺合されるネジロッド６４からなる伸縮ロッド６５の両端に、上下の押え板６６Ａ及び６６Ｂが設けられている。
【特許文献１】特開平８−２６６３５４号公報
【０００３】
これによれば、長さ調整ナット６２を回転させて伸縮ロッド６５を家具と天井の隙間の長さに合わせて長さ調整した状態で、家具と天井の間につっぱり状態で介装させることにより、家具が押え付けられるので、地震などの際に家具の転倒を防止することができる。
【０００４】
しかしながら、伸縮ロッド６５を長さ調整する際には、椅子や踏台などに乗り、転倒防止具６１を家具の上に立てて、手を伸ばした状態で、長さ調整ナット６２を回転させなければならない。
この場合に、伸ばした手で長さ調整ナットを握り、鉛直方向を回転軸としてこれを水平方向に回転させる動作は、力が入り難いため据付作業が極めて面倒であり、しかも、長さ調整ナット６２はパイプロッド６３に擦れるために回し難く、高齢者では据付作業が不可能に近いという問題があった。
また、一本の伸縮ロッド６５で両端の押え板６６Ａ及び６６Ｂを支えているので、急激に大荷重が作用したときや、伸縮ロッド６５を曲げる方向に力が作用したときに、座屈を起こしたり、構造破壊を起し易いという問題もあった。
【発明の開示】
【発明が解決しようとする課題】
【０００５】
そこで本発明は、据付作業が極めて簡単で、比較的小さな力で高齢者でも簡単に据え付られるようにすることを技術的課題としている。
【課題を解決するための手段】
【０００６】
この課題を解決するため、請求項１の発明は、家具と天井の隙間に突っ張り状態で介装して家具を押え付けることにより転倒を防止する家具転倒防止具であって、家具及び天井に当接される２枚の押え板が、パンタグラフ型リンク機構の上下方向に対向する二つの頂点に設けられ、前記リンク機構の水平方向に対向する二つの頂点の間隔を調整することにより前記押え板の高さを調整する高さ調整ネジがその二つの頂点を貫通して水平に配され、前記高さ調整ネジの少なくとも片端側に、そのネジを手動回転させる操作ノブが設けられたことを特徴としている。
請求項２の家具転倒防止具は、前記リンク機構の水平方向に対向する夫々の頂点に、上下のリンクを伸長させる方向に付勢するスプリングを装着した。
請求項３の家具転倒防止具は、前記リンク機構の水平位置に対向する頂点の片方に、高さ調整ネジと螺合される雌ネジが、前記高さ調整ネジに対して左右両側から係脱可能に螺合されるように分割して形成されると共に、その左右両側の雌ネジが高さ調整ネジを挟みつける方向に付勢されてなる。
請求項４の家具転倒防止具は、前記高さ調整ネジの中心近傍から両端に向って逆ネジが螺刻されると共に、前記リンク機構の水平位置に対向する夫々の頂点に高さ調整ネジと螺合する雌ネジを形成した。
【発明の効果】
【０００７】
本発明の家具転倒防止具によれば、水平に配された高さ調整ネジの片端に操作ノブが設けられているので、踏台などに乗ってその操作ノブが手前を向くように配置して操作ノブを回転させれば、水平方向に対向する二つの頂点の間隔が調整されて、押え板の高さが調整される。
この場合に、伸ばした手で正面の操作ノブを握り、水平方向を回転軸としてこれを左右方向（時計回り／反時計回り）に回転させる動作は力が入り易いため、高さ調整ネジを簡単に回すことができ、高齢者でも簡単に据え付けることができる。
また、一本の伸縮ロッドで両端の押え板を支えるのではなく、パンタグラフ型リンク機構で押え板を支えているので、押え板に急激に大荷重が作用したときでも力を分散させ、座屈や構造破壊を起こしにくい。
【０００８】
さらに、請求項２のように、リンク機構の水平方向に対向する夫々の頂点に、上下のリンクを伸長させる方向に付勢するスプリングを装着すれば、押え板の高さを高くする方向に力が付勢されるので、据付時に高さ調整ネジを回す力がさらに軽減される。
【０００９】
また、請求項３のように、高さ調整ネジと螺合される雌ネジを、その左右両側から係脱可能に螺合されるように分割して形成しておけば、高さ調整ネジとの係合を外すことにより、高さ調整ネジを回さなくても各押え板の高さが家具と天井の隙間に一致するように自由に調整でき、その後、高さ調整ネジと係合させることにより微調整を行うことができる。特に、請求項２のようにスプリングを設けて置けば、高さ調整ネジとの係合を外すことによりリンクが伸長され、各押え板が家具と天井に自動的に当接されるので、据付作業がより簡単になる。
【００１０】
さらに、請求項４のように、高さ調整ネジの中心近傍から両端に向って逆ネジを螺刻し、リンク機構の水平位置に対向する夫々の頂点に高さ調整ネジと螺合する雌ネジを形成して、高さ調整ネジを回転させれば、各頂点が同時に反対方向に移動することとなり、移動量が相対的に２倍になるので、ネジ送りで高さ調整する場合の調整時間を短縮することができる。
【発明を実施するための最良の形態】
【００１１】
本例では、据付作業が極めて簡単で、比較的小さな力で高齢者でも簡単に据え付られるようにするという目的を達成するために、家具及び天井に当接される２枚の押え板を、パンタグラフ型リンク機構の上下方向に対向する二つの頂点に設け、前記リンク機構の水平方向に対向する二つの頂点の間隔を調整することにより前記押え板の高さを調整する高さ調整ネジをその二つの頂点を貫通して水平に配し、前記高さ調整ネジの少なくとも片端側にそのネジを手動回転させる操作ノブを設けた。
【００１２】
図１は本発明に係る家具転倒防止具の一例を示す説明図、図２はその要部を示す断面図  、図３は分解組立図、図４は他の実施形態を示す説明図である。
【実施例１】
【００１３】
図１に示す家具転倒防止具１は、家具と天井の隙間に突っ張り状態で介装して家具を押え付けることにより転倒を防止するものであり、家具及び天井に当接される２枚の押え板２Ａ及び２Ｂが、パンタグラフ型リンク機構３の上下方向に対向する二つの頂点４Ａ及び４Ｂに設けられている。
また、リンク機構３の水平方向に対向する二つの頂点４Ｃ及び４Ｄの間隔を調整することにより前記押え板２Ａ及び２Ｂの高さを調整する高さ調整ネジ５がその二つの頂点４Ｃ及び４Ｄを貫通して水平に配され、高さ調整ネジ５の少なくとも片端側に、そのネジ５を手動回転させる操作ノブ６設けられている。
【００１４】
パンタグラフ型リンク機構３は、チャンネル材からなる４本のリンク３ａ〜３ｄが、各頂点４Ａ〜４Ｄにヒンジ３ｈ…を介して回動自在に連結され、水平方向に対向する頂点４Ｃ及び４Ｄには、該頂点を介して連結されたリンク３ａ及び３ｃと、リンク３ｂ及び３ｄを伸長させる方向に付勢するスプリング７，７（図２参照）が装着されている。
これにより、押え板２Ａの高さを高くする方向に力が付勢されるので、据付時に高さ調整ネジ６を回す力がさらに軽減されるというメリットがある。
【００１５】
また、高さ調整ネジ５は、頂点４Ｃに対し回り対偶をなし、頂点４Ｄに対してネジ対偶をなす。
この頂点４Ｄは、インナーロッド８とこれを挿入するアウターパイプ９を備え、インナーロッド８をアウターパイプ９に挿入した状態で、高さ調整ネジ５に螺合される挿通孔１０、１１が形成されている（図３（ａ）参照）。
【００１６】
各挿通孔１０及び１１は、高さ調整ネジ５を遊挿する大きさに形成され、アウターパイプ９内に配されたスプリング１２の弾撥力によりインナーロッド８が抜け出す方向に付勢され、これにより各挿通孔１０及び１１で高さ調整ネジ５を左右両側から挟み付けるように形成されている（図２（ａ）及び（ｂ）、図３（ｂ）参照）。
【００１７】
そして、各挿通孔１０及び１１には、スプリング１２の弾撥力により高さ調整ネジ５を挟み付ける側の面に、高さ調節ネジ５の雄ネジ５ａと螺合される雌ネジ１０ａ、１１ａが形成され、その反対側の面には、スプリング１２の弾撥力に抗してインナーロッド８を押し込んだときに、高さ調節ネジ５を押し出して、雄ネジ５ａと雌ネジ１０ａ、１１ａの係合を外す半球状のプッシャ１３が設けられている（図３（ａ）参照）。
【００１８】
これにより、各挿通孔１０及び１１に貫通された高さ調整ネジ５は、常時は、スプリング１２の弾撥力に雌ネジ１０ａ、１１ａに係合されているので、高さ調整ネジ５を回転させることにより高さ調整を行うことができる（図２（ａ）及び（ｂ）参照）。
また、アウターパイプ９から突出されたインナーパイプ８の押込ボタン８ａを押すと、スプリング１２の弾撥力に抗してインナーロッド８がアウターパイプ９内に押し込まれて各挿通孔１０及び１１が拡がると共に、プッシャ１３により雌ネジ１０ａ、１１ａとの係合が外されるので、高さ調整ネジ５はフリーになって、各頂点４Ｃ及び４Ｄに配されたスプリング７の弾撥力により、リンク３ａ及び３ｃとリンク３ｂ及び３ｄが伸長され、押え板２Ａが上方に持ち上がる（図２（ｃ）及び（ｄ）、図３（ｃ）参照）。
【００１９】
以上が本発明の一構成例であって、次にその作用について説明する。
まず、家具転倒防止具１を家具と天井の隙間に置き、インナーパイプ８の押込ボタン８ａを押すと、高さ調整ネジ５はフリーになって、各頂点４Ｃ及び４Ｄに配されたスプリング７の弾撥力により、リンク３ａ及び３ｃとリンク３ｂ及び３ｄが伸長され、押え板２Ａが持ち上がり天井に当接される。
次いで、インナーパイプ８の押込ボタン８ａを離すと、高さ調整ネジ５の雄ネジ５ａがと、挿通孔１０及び１１の雌ネジ１０ａ、１１ａに係合されるので、操作ノブ６を手前に向けて多少重さを感じる程度まで僅かに回転させるだけで、家具と天井の隙間に突っ張り状態で介装され、家具を強固に押え付けることができる。
【００２０】
この場合に、伸ばした手で正面の操作ノブ６を握り、水平方向を回転軸としてこれを左右方向（時計回り／反時計回り）に回転させる動作は力が入り易いため、高さ調整ネジ５を簡単に回すことができ、高齢者でも簡単に据え付けることができる。
また、一本の伸縮ロッドで両端の押え板を支えるのではなく、パンタグラフ型リンク機構３で押え板２Ａ及び２Ｂを支えているので、押え板２Ａ及び２Ｂに急激に大荷重が作用したときでも力を分散させ、座屈や構造破壊を起こしにくい。
【実施例２】
【００２１】
図４は他の実施形態を示す。なお、図１〜図３と重複する部分は、同一符号を付して詳細説明は省略する。
本例の家具転倒防止具２１は、高さ調整ネジ２２にその中心近傍から両端に向って逆ネジ２２ａ，２２ｂが螺刻されると共に、パンタグラフ型リンク機構３の水平位置に対向する二つの頂点２３Ｃ及び２３Ｄに高さ調整ネジ２２と螺合する雌ネジ（図示せず）を形成したナット２４Ｃ，２４Ｄを配した。
【００２２】
本例によれば、高さ調整ネジ２２を回転させれば、各頂点２３Ｃ及び２３Ｄが同時に反対方向に移動することとなり、移動量が相対的に２倍になるので、ネジ送りで高さ調整する場合の調整時間を短縮することができる。
【００２３】
なお、操作ノブ６は高さ調整ネジ２２の片端に設ける場合に限らず、両端に設けても良い。
【産業上の利用可能性】
【００２４】
以上述べたように、本発明は、家具と天井の隙間に突っ張り状態で介装して家具を押え付けることにより転倒を防止する家具転倒防止具の用途に適用することができる。
【図面の簡単な説明】
【００２５】
【図１】本発明に係る家具転倒防止具の一例を示す説明図。
【図２】その要部を示す断面図。
【図３】その分解組立図。
【図４】他の実施形態を示す説明図。
【図５】従来装置を示す説明図。
【符号の説明】
【００２６】
１  家具転倒防止具
２Ａ、２Ｂ  押え板
３  パンタグラフ型リンク機構
４Ａ〜４Ｄ  頂点
５  高さ調整ネジ
６  操作ノブ
【図１】
2007068687.tif 000003
【図２】
2007068687.tif 000004
【図３】
2007068687.tif 000005
【図４】
2007068687.tif 000006
【図５】
2007068687.tif 000007